(57)【要約】【課題】  従来の複数スロットを有する画像撮影再生装置では記録媒体の書き込み先を撮影の都度、確認、設定しなければならなかった。【解決手段】  複数の記録媒体の記録スケジュールを設定し、各々の記録媒体もしくは撮像装置に記録もしくは記憶することにより、記録媒体への書き込み先を事前にスケジュールし、撮影中に記録媒体の書き込み先の選択をその都度ユーザが行わないで済むことが可能となる。【選択図】  図１
2006115175.tif 000002
【特許請求の範囲】
【請求項１】
被写体像を画像信号に光電変換する撮像素子と、該画像信号を処理する画像処理手段と、少なくとも二つ以上の着脱可能な記録媒体と、該記録媒体を接続するための接続手段と、前記記録媒体に記録を行う記録スケジュールを記録媒体の各々に設定する記録スケジュール設定手段と、該記録スケジュール設定手段によって設定された各々の記録スケジュールに従って、各々の前記記録媒体にデータの記録を行う記録スケジュールデータ記録手段とを有する撮像装置。
【請求項２】
前記記録スケジュールを撮像装置に内蔵された記憶媒体に前記記録媒体の情報とともに記憶する記録スケジュール記憶手段をさらに有する請求項１の撮像装置。
【請求項３】
前記記録スケジュールを前記記録媒体に記録する記録スケジュール記録手段をさらに有する請求項２の撮像装置。
【請求項４】
前記記録媒体に記録されたスケジュールおよび前記記憶媒体に記憶されたスケジュールを表示する記録スケジュール表示手段をさらに有する請求項３の撮像装置。
【請求項５】
前記記録媒体に記録されたスケジュールおよび前記記憶媒体に記憶されたスケジュールでは記録ができない場合、警告を行う警告手段をさらに有する請求項４の撮像装置。
【請求項６】
前記記録媒体の記録されたスケジュールおよび前記記憶媒体に記憶されたスケジュールが終了したら、前記記録媒体および前記記憶媒体から削除する記録スケジュール削除手段をさらに有する請求項５の撮像装置。
【請求項７】
前記記録スケジュールとは、時間や日付、撮影を行った状態などから構成されるスケジュールであることを特徴とする請求項１〜６の撮像装置。
【発明の詳細な説明】
【技術分野】
【０００１】
本発明は撮像装置に係り、特に複数の記録媒体が接続可能な撮像装置に関する。
【背景技術】
【０００２】
一般的な撮像装置の場合、撮影した画像データを記録する手段として、着脱式の記録媒体を装着することができるように構成されたものが一般的である。近年では、複数の記録媒体を接続する機能を備える撮像装置も製品化されつつある。また、日時および項目等のスケジュール情報を記録させるものもある（特許文献１）。
【特許文献１】特開平11-168648
【発明の開示】
【発明が解決しようとする課題】
【０００３】
しかしながら、複数の記録媒体を接続する機能を備える前記撮像装置では、ユーザーの所望しない記録媒体に記録しないように撮影の度に記録媒体の確認、書き込み先の選択を行わなければならない。その際、記録媒体の書き込み先選択にはユーザーの操作が必要で、その操作を誤った場合にはユーザーの所望しない記録媒体に書き込まれる問題点がある。さらに上記のような記録媒体の切り替え作業を行っている間に決定的なシャッターチャンスを逃しかねない。
【０００４】
そこで本発明は上記の課題に鑑みてなされたものであって、複数の記録媒体を接続する接続装置を有する撮像装置において、複数の記録媒体への書き込み先を事前にスケジュールし、撮影中に記録媒体の書き込み先の選択をその都度ユーザが行わないで済むようにすることを目的とする。
【課題を解決するための手段】
【０００５】
上記目的を達成するために、本発明の撮像装置では、被写体像を画像信号に光電変換する撮像素子と、該画像信号を処理する画像処理手段と、少なくとも二つ以上の着脱可能な記録媒体と、該記録媒体を接続するための接続手段と、前記記録媒体に記録を行う記録スケジュールを記録媒体の各々に設定する記録スケジュール設定手段と、該記録スケジュール設定手段によって設定された各々の記録スケジュールに従って、各々の前記記録媒体にデータの記録を行う記録スケジュールデータ記録手段を備えたことを特徴とする。
【０００６】
本発明の撮像装置では、前記記録スケジュールを撮像装置に内蔵された記憶媒体に前記記録媒体の情報とともに記憶する記録スケジュール記憶手段をさらに備えたことを特徴とする。
【０００７】
本発明の撮像装置では、前記記録スケジュールを前記記録媒体に記録する記録スケジュール記録手段をさらに備えたことを特徴とする。
【０００８】
本発明の撮像装置では、前記記録媒体に記録されたスケジュールおよび前記記憶媒体に記憶されたスケジュールを表示する記録スケジュール表示手段をさらに備えたことを特徴とする。
【０００９】
本発明の撮像装置では、前記記録媒体に記録されたスケジュールおよび前記記憶媒体に記憶されたスケジュールでは記録ができない場合、警告を行う警告手段をさらに備えたことを特徴とする。
【００１０】
本発明の撮像装置では、前記記録媒体の記録されたスケジュールおよび前記記憶媒体に記憶されたスケジュールが終了したら、前記記録媒体および前記記憶媒体から削除する記録スケジュール削除手段をさらに備えたことを特徴とする。
【００１１】
本発明の撮像装置では、前記記録スケジュールとは、時間や日付、撮影を行った状態などから構成されるスケジュールであることを特徴とする。
【発明の効果】
【００１２】
本発明によれば、複数の記録媒体の記録スケージュールを設定し、各々の記録媒体もしくは撮像装置に記録もしくは記憶することにより、記録媒体への書き込み先を事前にスケジュールすることができる。これにより撮影中の記録媒体の書き込み先の選択をユーザが行わないで済むので、所望しない記録媒体へ書き込み間違いがなくなる。また、スケジュールの設定次第では、バックアップの設定も容易に行うことができる。
【発明を実施するための最良の形態】
【００１３】
以下、本発明の実施の形態を図面に基づいて説明する。
【００１４】
まず、本実施例における全体構成について説明する。
【００１５】
図１は、本発明の第一実施形態に係る画像処理装置の全体構成を示すブロック図である。
【００１６】
同図において、１００は画像処理装置である。１２は撮像素子１４への露光量を制御するためのシャッター、１４は光学像を電気信号に変換する撮像素子である。
【００１７】
レンズ３１０に入射した光線は、一眼レフ方式によって、絞り３１２、レンズマウント３０６，１０６、ミラー１３０、及びシャッター１２を介して導き、光学像として撮像素子１４上に結像する。
【００１８】
１６は、撮像素子１４のアナログ信号出力をディジタル信号に変換するＡ／Ｄ変換器である。１８は撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。
【００２０】
また、画像処理回路２０においては、必要に応じて、撮像した画像データを用いて所定の演算処理を行い、得られた演算結果に基づいてシステム制御回路５０が露光制御手段４０、及び測距制御手段４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
なお、本実施形態においては、測距手段４２及び測光手段４６を専用に備える構成としたため、測距手段４２及び測光手段４６を用いてＡＦ（オートフォーカス）処理、ＡＥ（自動露出）処理、及びＥＦ（フラッシュ調光）処理の各処理を行うものであるが、上記画像処理回路２０を用いたＡＦ（オートフォーカス）処理、ＡＥ（自動露出）処理、及びＥＦ（フラッシュ調光）処理の各処理を行わない構成としても良い。或いは、測距手段４２及び測光手段４６を用いてＡＦ（オートフォーカス）処理、ＡＥ（自動露出）処理、及びＥＦ（フラッシュ調光）処理の各処理を行い、さらに、上記画像処理回路２０を用いたＡＦ（オートフォーカス）処理、ＡＥ（自動露出）処理、及びＥＦ（フラッシュ調光）処理の各処理を行う構成としても良い。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２、及びＡ／Ｄ変換器３６２を制御する。
【００２３】
Ａ／Ｄ変換器１６のデータが画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００２４】
２４は画像表示メモリ、２６はＤ／Ａ変換器、２８はＴＦＴ・ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００２５】
また、画像表示部２８は、システム制御回路５０の指示により任意に表示をＯＮ／ＯＦＦすることが可能であり、表示をＯＦＦにした場合には画像処理装置１００の電力消費を大幅に低減することができる。画像表示部２８には、操作部７０の操作によって、記録画質モードや、ホワイトバランスモード等のメニューを表示したり、表示している画像の情報を表示したり、記録可能な記録媒体を表示したりする。
【００２６】
３０は撮影した静止画像や動画像を格納するためのメモリであり、所定枚数の静止画像や所定時間の動画像を格納するのに十分な記憶量を備えている。
【００２７】
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することができる。
【００３０】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定する。
【００３１】
そして、測光手段４６による測定結果と、撮像素子１４によって撮像した画像データを画像処理回路２０によって演算した演算結果とを共に用いて露出制御を行っても構わない。
【００３２】
５０は画像処理装置１００全体を制御するシステム制御回路、５２はシステム制御回路５０の動作用の定数や、変数、プログラム等を記憶するメモリである。５４はシステム制御回路５０でのプログラムの実行に応じて、文字、画像等を用いて動作状態やメッセージ等を表示する液晶表示装置等の表示部であり、画像処理装置１００の操作部近辺の視認し易い位置に単数或いは複数個所設置され、例えばＬＣＤやＬＥＤ等の組み合わせにより構成されている。
【００３３】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、及び外部コンピュータとの接続状態を示す表示等がある。
【００３４】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記録媒体書き込み動作表示等がある。さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、及び二次電池充電状態表示等がある。そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００３５】
６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３６】
ここで、これらの操作手段の具体的な説明を行う。
【００３７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、及びＥＦ（フラッシュ調光）処理等の動作開始を指示する。
【００３８】
６４はシャッタースイッチＳＷ２で、不図示のシャッターボタンの操作完了でＯＮとなり、撮像素子１２から読み出した信号をＡ／Ｄ変換器１６、及びメモリ制御回路２２を介してメモリ３０に画像データを書き込む露光処理、画像処理回路２０やメモリ制御回路２２での演算を用いた現像処理、並びにメモリ３０から画像データを読み出し、圧縮・伸長回路３２で圧縮を行い、記録媒体２００或いは２１０に画像データを書き込む記録処理、という一連の処理の動作開始を指示する。
【００３９】
６６は再生スイッチで、撮影モード状態において、撮影した画像をメモリ３０、記録媒体２００或いは２１０から読み出して画像表示部２８によって表示する再生動作の開始を指示する。
【００４０】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定するためのスイッチである。
【００４１】
７０は各種ボタンやタッチパネル等からなる操作部で、記録スケジュール設定ボタン、記録媒体選択＋（プラス）ボタン、記録媒体選択−（マイナス）ボタン、記録媒体決定ボタン、記録スケジュール選択（＋）プラスボタン、記録スケジュール選択（−）マイナスボタン、記録スケジュール決定ボタン、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。
【００４２】
さらに、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを備えている。
【００４３】
そのほかに、再生モードや、マルチ画面再生モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００４４】
また、上記プラスボタン及びマイナスボタンの各機能は、回転ダイアルスイッチを備えることによって、より軽快に数値や機能を選択することが可能となる。
【００４５】
７１は時計部で、日時などの時間情報を得る手段である。
【００４６】
７２は電源スイッチで、画像処理装置１００の電源オンや、電源オフの各モードを切り替え設定することができる。また、画像処理装置１００に接続されたレンズユニット３００、外部ストロボ、記録媒体２００、２１０等の各種付属装置の電源オン、電源オフの設定も合わせて切り替え設定することができる。
【００４７】
７３は記録スケジュール解析部で、記録スケジュールを作成、解析する手段である。
【００４８】
８０は電源制御手段で、電池検出回路、ＤＣ−ＤＣコンバータ、及び通電するブロックを切り替えるスイッチ回路等により構成されており、電池の装着の有無や、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
８２，８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５０】
１０４は光学ファインダであり、レンズ３１０に入射した光線を、一眼レフ方式によって、絞り３１２、レンズマウント３０６，１０６、及びミラー１３０，１３２を介して導き、光学像として結像表示する。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、及び露出補正表示などが設置されている。
【００５１】
１２０は、レンズマウント１０６内において、画像処理装置１００をレンズユニット３００と接続するためのインターフェース、１２２は画像処理装置１００をレンズユニット３００と電気的に接続するコネクタ、１２４はレンズマウント１０６及び／或いはコネクタ１２２にレンズユニット３００が装着されているか否かを検知するレンズ着脱検知手段である。
【００５２】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信や音声通信等を伝達する構成としても良い。
【００５３】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００５４】
３００は交換レンズタイプのレンズユニットである。３０６は、レンズユニット３００を画像処理装置１００と機械的に結合するレンズマウントである。レンズマウント３０６内には、レンズユニット３００を画像処理装置１００と電気的に接続する各種機能が含まれている。
【００５５】
３１０は撮影レンズ、３１２は絞りである。３２０は、レンズマウント３０６内において、レンズユニット３００を画像処理装置１００と接続するためのインターフェース、３２２はレンズユニット３００を画像処理装置１００と電気的に接続するコネクタである。
【００５６】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００５７】
３４０は測光手段４６からの測光情報に基づいて、シャッター１２を制御するシャッター制御手段４０と連携しながら、絞り３１２を制御する絞り制御手段である。
【００５８】
３４２は撮影レンズ３１０のフォーカシングを制御する測距制御手段、３４４は撮影レンズ３１０のズーミングを制御するズーム制御手段である。
【００５９】
３５０はレンズユニット３００全体を制御するレンズシステム制御回路である。レンズシステム制御回路３５０は、動作用の定数、変数、プログラム等を記憶するメモリと、レンズユニット３００固有の番号等の識別情報、管理情報、開放絞り値や最小絞り値、焦点距離等の機能情報、及び現在や過去の各設定値などを保持する不揮発メモリの機能も備えている。
【００６０】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００６１】
なお、本実施形態では、記録媒体を取り付けるインターフェース及びコネクタを２系統持つものとして説明している。勿論、記録媒体を取り付けるインターフェース及びコネクタは、複数の系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００６２】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００６３】
２００はメモリカードやハードディスク等の記録媒体である。記録媒体２００は、半導体メモリや磁気ディスク等から構成される記録部２０２、画像処理装置１００とのインターフェース２０４、及び画像処理装置１００と接続を行うコネクタ２０６を備えている。
【００６４】
２１０はメモリカードやハードディスク等の記録媒体である。記録媒体２１０は、半導体メモリや磁気ディスク等から構成される記録部２１２、画像処理装置１００とのインターフェース２１４、及び画像処理装置１００と接続を行うコネクタ２１６を備えている。
【００６５】
図２は本発明の特徴である、記録媒体の記録スケジュール設定を行うためのフローチャートである。本実施例では記録媒体を取り付けるインターフェース及びコネクタを２系統持つため、二つの記録媒体が装着された場合について説明する。
【００６６】
ステップS101で記録スケジュール設定ボタンがOnかどうか判断する。もし、記録スケジュール設定ボタンがOnでなければ、ステップS102で他の操作部材に関する制御を行う。
【００６７】
記録スケジュール設定ボタンがOnならば、ステップS103で画像表示部２８あるいは表示部５４にスケジュール設定画面を表示する。
【００６８】
ステップS104で操作部７０の記録媒体選択（＋）プラスボタン、記録媒体選択（−）マイナスボタン、セットボタンの操作判断を行い、記録スケジュールを設定する記録媒体を判断する。その際、画面表示部２８あるいは表示部５４に選択された記録媒体の表示を行って、ステップS105に移行する（図５）。
【００６９】
ステップS105で操作部７０の記録媒体決定ボタンの操作判断を行い、Onでなければ、ステップS104の操作を繰り返す。OnならばステップS106に移行する。
【００７０】
ステップS106で操作部７０のスケジュール選択（＋）プラスボタン、スケジュール選択（−）マイナスボタンの操作判断を行い、スケジュール入力を受け付ける。その際、画像表示部２８あるいは表示部５４に設定されたスケジュールの表示を行って、S107に移行する。（図６）本実施例では特に日時をスケジュールした例を示すが、撮影状態等のスケジュールでも勿論よい。
【００７１】
ステップS107では操作部７０の記録スケジュール決定ボタンの操作判断を行い、OnでなければステップS106で操作判断を繰り返す。Onならば設定された記録スケジュールを記録スケジュール解析部で作成し、メモリ３０に記憶し、ステップS108に移行する。
【００７２】
ステップS108ではステップS105で決定された記録媒体２００の場合は、メモリ３０内のステップS108で作成した記録スケジュールをインターフェース９０を通して記録媒体２００に記録する。このときメモリ３０にはインターフェース９０を通して読み込んだ記録媒体２００の情報も記録スケジュールと関連づけて記憶する。同様にステップS105で決定された記録媒体２１０の場合、メモリ３０内のステップS108で設定された記録スケジュールをインターフェース９４を通して記録媒体２１０に記録する。このときメモリ３０にはインターフェース９４を通して読み込んだ記録媒体２１０の情報も記録スケジュールと関連づけて記憶する。
【００７３】
なお記録スケジュール設定はパーソナルコンピュータなどの外部装置から、設定し記録媒体に記録しても勿論よい。
【００７４】
図３は本発明の特徴である、装着された記憶媒体から記録スケジュールの読み込みを行うためのフローチャートである。本実施例では記録媒体を取り付けるインターフェース及びコネクタを２系統持つため、二つの記録媒体が装着された場合について説明する。
【００７５】
ステップS201で記録媒体着脱検知９８により、記録媒体２００が装着されたかどうかを判断する。もし、記録媒体２００が装着されていなければ、ステップS202に移行する。記録媒体２００が装着されていればステップS203に移行し、記録スケジュールがあるかどうかを判断する、もし記録スケジュールがなければステップS202に移行する。記録スケジュールがあれば、ステップS204に移行し、記録スケジュールをインターフェース９０を通して読み込み、ステップS205で記録スケジュール解析部７４によりその解析を行ってメモリ３０に記憶する。
【００７６】
ステップS206で解析したスケジュールを画像表示部２８あるいは表示部５４に表示を行う（図７）。ステップS207では解析したスケジュールでは今後書き込みが行われる条件を満たさないかどうかを記録スケジュール解析部７４および時計部等から判断する。これは特に日時でのスケジュールを想定した場合、時計部より得た日時情報よりも、前の日時でのスケジュールがたてられていた場合に起こる問題を回避できるものである。今後、書き込みが行われないと判断するとステップS208に移行し、警告表示を画像表示部２８あるいは表示部５４に表示する。後、図２で説明した記録スケジュール設定フローチャートへ移行する。今後、書き込みが行われると判断するとステップS209に移行し、操作部７０の記録スケジュール決定ボタンの操作判断から、Onであれば終了する。Offならば図２で説明した記録スケジュール設定フローチャートへ移行する。
【００７７】
なお、ステップS201で記録媒体着脱検知９８により、記録媒体２００が装着された場合も処理の流れは同様である。
【００７８】
図４は本発明の特徴である、記録スケジュールに従って、記録媒体にデータの記録を行うためのフローチャートである。本実施例では記録媒体を取り付けるインターフェース及びコネクタを２系統持つため、二つの記録媒体が装着された場合について説明する。ステップS301でシャッタースイッチ62、64がOnでなければ、ステップS302で他の操作部材に関する制御を行う。もしOnならばステップS303に移行し撮影のための処理を行う。次のステップS304では時計部からの時間情報もしくは撮影された条件とメモリ３０にある記録媒体２００のスケジュール情報を比較し、スケジュール条件を満たす場合は、ステップS305で書き込みを行いステップS306へ移行する。スケジュール条件を満たさない場合は書き込みを行わないでステップS306で移行する。
【００７９】
ステップS306では同様に、メモリ３０にある記録媒体２１０のスケジュール情報とも比較し、スケジュール条件を満たす場合は、ステップS307で書き込みを行い終了する。スケジュール条件を満たさない場合は書き込みを行わないで終了する。
【００８０】
このようにして、複数の記録媒体を接続する接続装置を有する撮像装置において、複数の記録媒体への書き込み先を事前にスケジュールし、撮影中に記録媒体の書き込み先の選択をユーザがその都度行わないで済むようにできる。
【００８１】
なお、記録媒体２００及び２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【００８２】
また、記録媒体２００及び２１０がメモリカードとハードディスク等が一体となった複合媒体であっても勿論問題無い。さらに、その複合媒体から一部が着脱可能な構成としても勿論問題無い。
【００８３】
そして、実施形態の説明に於いては、記録媒体２００及び２１０は画像処理装置１００と分離していて任意に接続可能なものとして説明したが、何れか或いは全ての記録媒体が画像処理装置１００に固定したままとなっていても勿論問題無い。
【図面の簡単な説明】
【００８４】
【図１】本発明の構成ブロック図である。
【図２】記録媒体の記録スケジュール設定を行うためのフローチャート。
【図３】記憶媒体から記録スケジュールの読み込みを行うためのフローチャート。
【図４】記録スケジュールに従って、記録媒体にデータの記録を行うためのフローチャート。
【図５】表示部の表示内容を示す図である。
【図６】表示部の表示内容を示す図である。
【図７】表示部の表示内容を示す図である。
【符号の説明】
【００８５】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４６  測光手段
５０  システム制御回路
５２  メモリ
５４  表示部
６２  シャッタースイッチＳＷ１
６４  シャッタースイッチＳＷ２
６６  再生スイッチ
６８  単写／連写スイッチ
７０  操作部記録媒体選択
７１  時計部
７２  電源スイッチ
７３  記録スケジュール解析部
８０  電源制御手段
８２  コネクタ
８４  コネクタ
８６：電源手段
９０  インターフェース
９２  コネクタ
９４  インターフェース
９６  コネクタ
９８  記録媒体着脱検知手段
１０４  光学ファインダ
１０６  レンズマウント
１２０  インターフェース
１２２  コネクタ
１３０  ミラー
１３２  ミラー
２００  記録媒体
２０２  記録部
２０４  インターフェース
２０６  コネクタ
２１０  記録媒体
２１２  記録部
２１４  インターフェース
２１６  コネクタ
３００  レンズユニット
３０６  レンズマウント
３１０  撮影レンズ
３１２  絞り
３２０  インターフェース
３２２  コネクタ
３４０  露光制御手段
３４２  測距制御手段
３４４  ズーム制御手段
３５０  レンズシステム制御回路
【図１】
2006115175.tif 000003
【図２】
2006115175.tif 000004
【図３】
2006115175.tif 000005
【図４】
2006115175.tif 000006
【図５】
2006115175.tif 000007
【図６】
2006115175.tif 000008
【図７】
2006115175.tif 000009